(57)【要約】【課題】  周囲のネオン広告等の光源に影響を受けず誤動作しない省電力型突出し看板の提供。【解決手段】  対向する位置に配設される一対の広告表示板と該広告表示板の外周を囲う看板フレームとからなる看板函体と、前記看板函体側面に配設され、該看板函体と建造物とを接続する取付部とからなる突出し看板であって、前記看板函体上面には太陽電池が配設され、前記太陽電池には太陽電池が発生させる電気エネルギを蓄電する蓄電器が接続され、前記看板函体内部には、周囲の明るさを検知する光度センサとタイマと複数の発光ダイオードが配設され、前記発光ダイオードは前記広告表示板と平行な面上に配列され、前記広告表示板が光拡散透過性物質からなることを特徴とする突出し看板である。【選択図】  図１
2005283889.tif 000002
【特許請求の範囲】
【請求項１】
対向する位置に配設される一対の広告表示板と該広告表示板の外周を囲う看板フレームとからなる看板函体と、
前記看板函体側面に配設され、該看板函体と建造物とを接続する取付部とからなる突出し看板であって、
前記看板函体上面には太陽電池が配設され、
前記太陽電池には太陽電池が発生させる電気エネルギを蓄電する蓄電器が接続され、
前記看板函体内部には、周囲の明るさを検知する光度センサとタイマと複数の発光ダイオードが配設され、
前記発光ダイオードは前記広告表示板と平行な面上に配列され、
前記広告表示板が光拡散透過性物質からなることを特徴とする突出し看板。
【請求項２】
前記広告表示板が乳半アクリルからなることを特徴とする請求項１記載の突出し看板。
【請求項３】
前記太陽電池が積層型アモルファス太陽電池であることを特徴とする請求項１又は２記載の突出し看板。
【請求項４】
前記光度センサの受光面は前記発光ダイオードが配列される面に直交する面と平行であり、
前記タイマは第１タイマ機能と第２タイマ機能の２つのタイマ機能を備え、
周囲の明るさが所定光度以下になったことを前記光度センサが検知したとき、前記第１タイマ機能が作動し、所定時間前記発光ダイオードを発光させ、
前記第１タイマ機能が一定の時間経過をカウントした後に、前記光度センサが所定光度以下の明るさを検知したときに、前記第２タイマ機能が作動し、引き続き発光ダイオードを所定時間発光させ続けることを特徴とする請求項１乃至３いずれかに記載の突出し看板。
【発明の詳細な説明】
【技術分野】
【０００１】
本発明は、日中の太陽光を利用して夜間照明広告を行う省電力型突出し看板に関し、より詳しくは、他のネオン広告等の光源に影響を受けず誤動作しにくい省電力型突出し看板に関する。
【背景技術】
【０００２】
店舗等の広告手段として、建造物の壁面から直角に看板を突出させて、店舗名等を通行人に広告する突出し看板が用いられる。このような突出し看板は、その広告表示板を照明することで夜間においても広告機能が発揮できるものとなる。
従来、このような突出し看板に対して夜間のみ照明機能を発揮させようとすれば、建造物から電力を供給し、その電力供給経路にタイマを配設し、一定時間になると広告表示板が照明されるという形態が一般的であった。
【０００３】
このような夜間照明機能付看板の省電力化を図るために、特許文献１乃至３には太陽電池を用いて、日中の太陽光を利用して、日中に蓄電し、夜間にその蓄電された電力を利用して照明を行う形態が提案されている。また、少ない電力で高い輝度で発光するために発光ダイオードがその発光手段として用いられている。
【０００４】
従来において、夜間のみ照明を行うものの手段として光度センサを用いて、周囲の明るさを検知し、周囲の明るさが一定の光度以下となったら照明機能を発揮させる手段が知られている。このような光度センサを用いて、周囲の明るさに合わせて自動的に照明をする手段を特許文献１乃至３に開示される技術に組合わせれば、周囲の明るさが一定光度以下となったときに自動的に照明機能を発揮する省電力型看板となるが、屋外に配設される突出し看板にこれを適用しようとすれば、以下のような問題を生ずるものであった。
【０００５】
【特許文献１】特開平９−１９７９８７号公報
【特許文献２】特開平６−１６１３６２号公報
【特許文献３】実用新案登録第３０１６７７２号公報
【発明の開示】
【発明が解決しようとする課題】
【０００６】
周囲の明るさを検知し、周囲の明るさが一定の光度以下となったら照明機能を発揮させるために光度センサを用いる場合には、周囲の明るさを精度よく検知するために光度センサを看板外部に配設する必要がある。しかしながら、光度センサを外部に露出させると、雨や砂塵で光度センサが破損しやすいという問題があった。
更には、看板は人通りの多い繁華街に用いられることが多く、他の照明機能を備えた広告設備からの光を受けた場合、光度センサが誤作動してしまい、照明機能を発揮したい時間にその機能が発揮されないという問題も生じていた。
【０００７】
本発明は上記実情を鑑みてなされたものであって、周囲のネオン広告等の光源に影響を受けず誤動作しない省電力型突出し看板を提供することを目的とする。
【課題を解決するための手段】
【０００８】
請求項１記載の発明は、対向する位置に配設される一対の広告表示板と該広告表示板の外周を囲う看板フレームとからなる看板函体と、前記看板函体側面に配設され、該看板函体と建造物とを接続する取付部とからなる突出し看板であって、前記看板函体上面には太陽電池が配設され、前記太陽電池には太陽電池が発生させる電気エネルギを蓄電する蓄電器が接続され、前記看板函体内部には、周囲の明るさを検知する光度センサとタイマと複数の発光ダイオードが配設され、前記発光ダイオードは前記広告表示板と平行な面上に配列され、前記広告表示板が光拡散透過性物質からなることを特徴とする突出し看板である。
請求項２記載の発明は、前記広告表示板が乳半アクリルからなることを特徴とする請求項１記載の突出し看板である。
請求項３記載の発明は、前記太陽電池が積層型アモルファス太陽電池であることを特徴とする請求項１又は２記載の突出し看板である。
請求項４記載の発明は、前記光度センサの受光面は前記発光ダイオードが配列される面に直交する面と平行であり、前記タイマは第１タイマ機能と第２タイマ機能の２つのタイマ機能を備え、周囲の明るさが所定光度以下になったことを前記光度センサが検知したとき、前記第１タイマ機能が作動し、所定時間前記発光ダイオードを発光させ、前記第１タイマ機能が一定の時間経過をカウントした後に、前記光度センサが所定光度以下の明るさを検知したときに、前記第２タイマ機能が作動し、引き続き発光ダイオードを所定時間発光させ続けることを特徴とする請求項１乃至３いずれかに記載の突出し看板である。
【発明の効果】
【０００９】
請求項１又は２記載の発明によれば、光度センサが看板函体内に配設されるので雨や砂塵にさらされることがないため、光度センサが確実に作動し、周囲の明るさが一定光度以下になったとき確実に看板が照明機能を発揮する。また広告表示板が光拡散透過性であるので、看板函体内に入射する光が看板函体内部で散乱するため、看板函体内で光度が均一化される。したがって、周囲に強い発光光源が配置されたとしても、看板函体内部の光度は均一化されるため、光度センサが誤作動することがなく、周囲の明るさが所定の光度以下になったときに、確実に看板の照明機能を作動せしめる。
請求項３記載の発明によれば、太陽電池が積層型アモルファス太陽電池であるので、広い範囲の波長の光成分を電気エネルギに変換でき、発光ダイオードの数を増加させたり、照明時間を長くすることが可能となる。
請求項４記載の発明によれば、光センサの受光面は前記発光ダイオードが配列される面に直交する面と平行であるので、光度センサは発光ダイオードが発光する光の影響を受けない。よって、第１タイマ機能が所定時間看板の照明機能を発揮させ、照明機能を発揮させた状態で一定時間経過後に光度センサが所定光度以下の明るさを検知したときに、第２タイマ機能を作動させ、照明機能を延長して発揮せしめることができる。
【発明を実施するための最良の形態】
【００１０】
以下、本発明に係る突出し看板について、図を参照しつつ説明する。図１は本発明に係る突出し看板を示す。図１（ａ）は突出し看板の正面図であり、図１（ｂ）は突出し看板の平面図であり、図１（ｃ）は突出し看板の側面図である。尚、図１（ａ）及び図１（ｃ）においては、看板内部構造を示すために、看板外周部の一部を破断或いは取り除いた状態で図示している。
看板（１）は、看板函体（２）と取付部（４）からなる。
取付部（４）は角筒形状をしており、一方の側面は建造物（Ｂ）の壁面と当接し、他の側面は看板函体（２）が接続する。建造物（Ｂ）と当接する側の取付部（４）側面には建造物（Ｂ）に看板（１）を取付けるための取付用アンカーボルトが貫通可能な開口部が適宜設けられている（図示せず）。また、取付部（４）は鉄などの金属からなり、その表面は防錆処理が適宜施されている。
【００１１】
看板函体（２）は一対の広告表示板（２１）を有し、広告表示板（２１）は対向する位置に略平行に配設される。また広告表示板（２１）の外周を囲うように看板フレーム（２２）が配設される。図１に示す例では、広告表示板（２１）は矩形であり、看板フレーム（２２）は角筒形状をしている。図１に示すが如く、角筒状の看板フレーム（２２）の開口部に広告表示板（２１）が配設され、看板函体（２）は中空函状に形成される。尚、看板フレーム（２２）と広告表示板（２１）との接続部には、パッキン等の防水・防塵処理が施され、看板函体（２）内部への雨や砂塵の侵入が阻止されている。
尚、上述の如く、取付部（４）側面と看板フレーム（２２）側面が当接し、接続されるが、この接続方法は特に限定されるものではなく、ボルト接合や溶接などの接合方法で適宜接続される。また看板フレーム（２２）の材質は特に限定されるものではないが、アルミニウムなどの金属で構成してもよい。アルミニウムで看板フレーム（２２）を構成すると軽量化を図れるとともに、高い防錆機能が発揮される。
看板函体（２）上面には、太陽電池パネル（２３）が配設される。太陽電池パネル（２３）は、太陽光を電気エネルギに変換する太陽電池と太陽電池による電気エネルギを蓄える蓄電器からなる。太陽電池パネル（２３）は看板函体（２）上面の略全面を覆い、広い面積で太陽エネルギを受けることが可能とされる。尚、取付部（４）と接続する側と反対側の側面に更に太陽電池パネル（２３）が配設されてもよい。
太陽電池パネル（２３）の太陽電池には、結晶シリコン太陽電池、アモルファス太陽電池、積層型アモルファス太陽電池等の各種の太陽電池が使用可能であるが、特に好ましくは、積層型アモルファス太陽電池が好ましい。積層型アモルファス太陽電池は、異なるアモルファス材料を２層又は３層積み重ねたものであり、各アモルファス材料のバンドギャップが異なるため、広い波長範囲の光を電気エネルギに変換することができ、変換効率が高いためである。
尚、図１に示す例においては、太陽電池と蓄電器を一体に形成した太陽電池パネル（２３）を用いたが、本発明はこれに限られるものではなく、太陽電池と蓄電器を別個に形成し、太陽電池からの電気エネルギを蓄電器に蓄電させるものであってもよい。
太陽電池パネル（２３）を看板函体（２）上面や更に看板函体（２）側面に配設することで、外部からの電力供給が不要となるとともに、その電力供給のための配線が不要となる。日中の太陽エネルギを電気エネルギとして蓄え、夜間の照明用の電気エネルギとして利用可能となり、太陽エネルギ資源を有効に利用可能なものとなる。
広告表示板（２１）の形成には光拡散透過性物質が用いられる。光拡散透過性物質としては、アクリル樹脂と色料を混合して形成された乳半アクリルや磨りガラスが例示できるが、本実施例においては、乳半アクリルが用いられている。乳半アクリルを広告表示板（２１）に用いることによって、軽量で耐候性に優れた看板（１）を形成することができる。また乳半アクリルは白色であるので、入射する光或いは後述する発光ダイオードの光を吸収せず、効率的に光を看板函体（２）内外へ入出させることができる。
【００１２】
図２に看板函体（２）内を通過する光の経路の模式図を示す。
広告表示板（２１）は、光透過性物質からなるので、看板函体（２）内に入射する光（Ｌ）は広告表示板（２１）を通過するときに、その光拡散透過性により、光線は拡散し、看板函体（２）内部空間に進入する。したがって、看板函体（２）内部空間は局所的に強い光が入射した場合であっても、その光は分散されるため均一な光度を有するものとなる。
また一対の広告表示板（２１）が対向する位置に配設されるので、光が看板函体（２）内部を透過するので、看板函体（２）内部に影が生じにくい。
広告表示板（２１）の広告用文字や模様などは、光透過性のフィルム等を張り付けることによって適宜形成される。
尚、広告表示板（２１）に彫刻を施して、広告文字や模様を形成してもよい。乳半アクリルからなる広告表示板（２１）に彫刻を施せば、光の陰影が生じ、彫刻された広告文字や模様が浮かび上がったように見えるようになる。
【００１３】
再び図１を参照すれば、看板函体（２）内部には、発光装置（３）が配設される。発光装置（３）は複数の発光ダイオード（３１）と光度を検知する光度センサを内蔵するタイマ（３２）とからなる。発光装置（３）は太陽電池パネル（２３）と接続し、太陽電池パネル（２３）に蓄えられた電気エネルギ（３）で動作する。
尚、本実施例において光度センサ内蔵型タイマ（３２）を用いているが、本発明はこれに限られるものではなく、光度センサとタイマを別体にして配設してもよい。
図１に示す例において、看板函体（２）内部に水平方向に延びる板棒状の複数の発光ダイオード支持部材（３１１）上に固定されている。発光ダイオード支持部材（３１１）は一定間隔で看板函体（２）内部上下方向に複数配列され、発光ダイオード支持部材（３１１）の間を外部からの光が通過可能となっている。
発光ダイオード（３１）は、縦横等間隔に配設されて、マトリックス状に配列されている。このように等間隔に発光ダイオード（３１）を配設すると、広告表示板（３１）上で輝度むらができにくくなる。尚、発光ダイオード（３１）の配列は、マトリックス状のものに限定されるものではなく、同心円状に等間隔に配列されるものであってもよい。等間隔且つ同心円状の配列は、円形の広告表示板（２１）を備える看板（１）に好適に採用でき、このような看板（１）の角隅部に暗部ができにくくなる。このように、発光ダイオード（３１）の配列は、広告表示板（２１）の形状に合わせて適宜定めればよい。
上述の如くして、発光ダイオード（３１）が配列された発光面は広告表示板（２１）と平行にされる。発光ダイオード（３１）が配列された発光面と広告表示板（２１）を平行とすることによって、広告表示板（２１）は均一に裏側から照明され、広告表示板（２１）上に明暗ができにくくなり、均一の明るさで広告表示をすることが可能となる。
【００１４】
発光ダイオード（３１）が配列された一対の発光面の間には、骨組部材（３２１）が、看板函体（２）内部において鉛直方向に立設している。骨組部材（３２１）は、発光ダイオード支持部材（３１１）の両端に配設され、発光ダイオード支持部材（３１１）を固定する。
取付部（４）から離れた側にある骨組部材（３２１）上にはタイマ（３２）が固定される。取付部（４）から離れた側、即ち建造物（Ｂ）から離れた側にある骨組部材（３２１）上にタイマ（３２）を固定することによって、タイマ（３２）が備える光度センサが建造物（Ｂ）による影の影響を受けにくくなり、周囲の明るさを正確に検知できるものとなる。
尚、タイマ（３２）が備える光度センサの受光面は、発光ダイオード（３１）が配列される発光面に対して直交する面と平行とされるのが好ましい。このようにすると、発光ダイオード（３１）発光時に、発光ダイオード（３１）の発光の影響を受けずに、看板（１）周囲の光度を検知できるものとなり、後述するように、発光ダイオード（３１）の消灯時を周囲の光度にしたがって制御することが可能となる。
【００１５】
図３に上述のような構造の突出し看板（１）の点灯システムのフローチャートを示す。
図３に示すタイマ（３２）は２つのタイマ機能を有し、１つは発光ダイオード点灯直後に時間経過をカウントする第１タイマ機能であり、他のもう１つは第１タイマ機能作動後に作動する第２タイマ機能である。
まず、タイマ（３２）が内蔵する光度センサに所定の閾値を設定し、看板（１）周囲の光度が閾値に対する高低に応じて、太陽電池パネル（２３）から発光ダイオード（３１）への電力供給のオン・オフの切換を可能とする。
日中、タイマ（３２）が内蔵する光度センサによって看板（１）周囲の光度が検知される（ステップ１）。この間、タイマ（３２）は看板（１）周囲の光度が光度センサに設定された閾値より高いか否かを判断する（ステップ２）。そして、看板（１）周囲の光度が閾値以下となったとき、太陽電池パネル（２３）から発光ダイオード（３１）への電力供給回路をオンにし、発光ダイオード（３１）を発光させる（ステップ３）。また、太陽電池パネル（２３）から発光ダイオード（３１）への電力供給回路をオンにすると同時に、タイマ（３２）の第１タイマ機能が時間経過をカウントし始める（ステップ４）。
第１タイマ機能が時間経過をカウントし始め一定時間が経過した後に、タイマ（３２）が備える光度センサが検知した看板（１）周囲の光度が設定された閾値以上であるとき、太陽電池パネル（２３）から発光ダイオード（３１）への電力供給回路をオフにする（ステップ５、ステップ６及びステップ８）。一方、看板（１）周囲の光度が閾値以下であるとき、タイマ（３２）の第２タイマ機能が作動し、時間経過をカウントし始める（ステップ６及びステップ７）。そして、第２タイマ機能が所定の時間経過をカウントし終えたら、太陽電池パネル（２３）から発光ダイオード（３１）への電力供給回路をオフにし、発光ダイオード（３１）を消灯させる。
このように複数のタイマ機能を用い、看板（１）周囲の光度に応じて照明時間の長短を制御することができる。
【００１６】
図４に、発光ダイオード点灯前により正確に看板（１）周囲の明るさを検地するための実施形態を示す。図４は、タイマ（３２）取付部分の拡大図である。図４（ａ）は、タイマ（３２）取付部分を正面から見た図であり、図４（ｂ）はタイマ（３２）取付部分を上方から見た図である。
図４に示す如く、タイマ（３２）が固定される骨組部材（３２１）の部分を回転可能に形成してもよい。即ち、骨組部材（３２１）上のタイマ（３２）が固定されるタイマ取付部（３２２）の下端にギア（３２３）を形成する。また、小型のステッピングモータ（３２４）を骨組部材（３２１）上に固定し、ギア（３２３）を介し、タイマ取付部（３２２）を骨組部材（３２１）周りに回転可能にする。また、タイマ（３２）の光度センサにはマイクロプロセッサが接続されている（図示せず）。またステッピングモータ（３２４）は、太陽電池パネル（２３）と接続している。
【００１７】
図５に図４で示す構造の突出し看板の点灯システムのフローチャートを示す。図５に示すフローチャートは、図３に示すフローチャートの発光ダイオード点灯前の工程（ステップ３以前）が異なるのみで、それ以降の工程は同様である。
まず、タイマ（３２）が備える光度センサで看板（１）周囲の光度を検知する。光度センサに設定された閾値よりも、看板（１）周囲の光度が低くなると、モータ（３２４）が回転する。モータ（３２４）の回転に伴い、タイマ取付部（３２２）及びタイマ取付部（３２２）に固定されたタイマ（３２）が骨組部材（３２１）軸周りに回転する。この回転の間、タイマ（３２）が備える光度センサが検知する光度データがマイクロプロセッサに記憶される。マイクロプロセッサ内には、モータ（３２４）の回転角度に対する光度データが蓄えられる。このように蓄積された光度データはマイクロプロセッサによって積分され、モータの回転角度で除されることで、積分平均化される。積分平均化された光度データと光度センサに設定された閾値とを比較し、積分平均化された光度データが閾値よりも低い場合に発光ダイオードを点灯させる。
このようにモータ（３２４）でタイマ（３２）を骨組部材（３２１）軸周りに回転させることで、看板函体（２）内部空間全体の光度データを得ることができ、より正確に看板（１）周囲の明るさを検知可能となる。
【産業上の利用可能性】
【００１８】
本発明は、周囲のネオン広告等の光源に影響を受けず誤動作しない省電力型突出し看板に好適に適用される。
【図面の簡単な説明】
【００１９】
【図１】本発明に係る突出し看板を示す図である。（ａ）は突出し看板の正面図であり、（ｂ）は突出し看板の平面図であり、（ｃ）は突出し看板の側面図である。
【図２】本発明に係る突出し看板の看板函体内を通過する光の経路の模式図である。
【図３】本発明に係る突出し看板の点灯システムのフローチャートである。
【図４】本発明に係る突出し看板のタイマ取付部分の拡大図である。（ａ）は正面図であり、（ｂ）は上方から見た図である。
【図５】本発明に係る突出し看板の点灯システムのフローチャートである。
【符号の説明】
【００２０】
１・・・・・・突出し看板
２・・・・・・看板函体
２１・・・・・広告表示板
２２・・・・・看板フレーム
２３・・・・・太陽電池パネル
３１・・・・・発光ダイオード
３２・・・・・タイマ
４・・・・・・取付部
Ｂ・・・・・・建造物
【図１】
2005283889.tif 000003
【図２】
2005283889.tif 000004
【図３】
2005283889.tif 000005
【図４】
2005283889.tif 000006
【図５】
2005283889.tif 000007